(57)【要約】【課題】指示部に到達する光量の損失の低減し、指示部の先端から基部近傍までを斑なく均一に発光させる。【解決手段】光源１３ａからの光を受光する基部１２ａ２と、該基部１２ａ２の上端より一方向に延びる指示部１２ａ１と、基部１２ａ２で受光した光を指示部１２ａ１の先端方向に反射する反射面１２ａ４と、を有する透光性の樹脂部材からなる指針本体１２ａと、計器ユニットの出力軸が嵌合する孔１２ｃ１と、を備え、文字板の目盛等の指標と協働して計測量を観測者から視認可能なように指示部１２ａ１内を導いた光によって発光させる自発光指針１２において、基部１２ａ２で受光した光の一部を基部１２ａ２近傍の指示部１２ａ１の底面１２ａ９に向けて反射する近傍用反射面１２ａ８を備え、光源１３ａに対向する基部１２ａ２の受光部１２ａ３が、孔１２ｃ１に対して指示部１２ａ１の先端側に配置され且つ傾斜面となるように形成されている。【選択図】図３
2011064696.tif 000002
【特許請求の範囲】
【請求項１】
光源からの光を受光する基部と、該基部の上端より一方向に延びる指示部と、前記基部で受光した光を前記指示部の先端方向に反射する反射面と、を有する透光性の樹脂部材からなる指針本体と、計器ユニットの出力軸が嵌合する孔と、を備え、文字板の目盛等の指標と協働して計測量を観測者から視認可能なように前記指示部内を導いた光によって発光させる自発光指針において、
前記基部で受光した光の一部を前記基部近傍の前記指示部の底面に向けて反射する近傍用反射面を備え、
前記光源に対向する前記基部の受光部が、前記孔に対して前記指示部の先端側に配置され且つ傾斜面となるように形成されている
ことを特徴とする自発光指針。
【請求項２】
前記近傍用反射面が、前記基部で受光した光を複数回反射して前記基部近傍の指示部の底面に反射するように形成されている
ことを特徴とする請求項１に記載の自発光指針。
【請求項３】
前記基部が、前記反射面から前記指針本体の外部に出射されないように、前記光源からの光を受光して前記反射面に向かわせる形状で形成されている
ことを特徴とする請求項１又は２に記載の自発光指針。
【請求項４】
計測量に応じて指針を移動させ、文字板に付した目盛等の指標と協働して計測量を表示する指針式表示装置において、
前記指針を、請求項１〜３の何れかに記載の自発光指針とし、
前記自発光指針が、前記文字板の裏面側に設けられた前記光源からの光を前記指示部内に導いて発光するようにした
ことを特徴とする指針式表示装置。
【発明の詳細な説明】
【技術分野】
【０００１】
本発明は、自発光指針及び指針式表示装置に関し、より詳細には、光源からの光を受光する基部と、該基部の上端より一方向に延びる指示部と、前記基部で受光した光を前記指示部の先端方向に反射する反射面と、を有する透光性の樹脂部材からなる指針本体を備え、文字板の目盛等の指標と協働して計測量を観測者から視認可能なように前記指示部内を導いた光によって発光させる自発光指針に関するものである。
【背景技術】
【０００２】
速度計やタコメータ等の計器類のうち、指針と文字板を使用するアナログ式の計器類においては、指針や文字板等を暗所においても見やすくするために照明する装置として、文字板の背後に配置された光源の光により指針の指示部を光輝させる指針式表示装置が従来より開示されている。
【０００３】
この種の指針式表示装置では、照明用の光は光源から導光板を介して指針軸挿通孔の部分まで導光され、挿通孔の周面を円錐面とすることにより形成した反射面によって導光板の上方に反射されて指針軸上端に固着された透光性材料からなる指針の基部に入射される。この基部には、入射光を受光する受光面とこの受光面により受光した光を指針先端方向に反射する反射面とが形成され、これらは非透光性の指針キャップにより覆われている。上述した従来の指針式表示装置では、指針キャップ内の指針基部に形成される受光面が十分に大きくないため、指針を高輝度で光輝させるに十分な光を指針内に取り込むことができないという難点があった。
【０００４】
そこで、指針キャップ内での受光面を大きくして指針内に取り込むことのできる光量を増大し、指針を高輝度で光輝させるようにしたものが、従来より提案されている。例えば、この提案の指針式表示装置は、図５及び図６に示すように、ブラックフェース形の計器に適用されている。この指針式表示装置は、計測量に応じて出力軸を駆動する計器ユニット１１、この計器ユニット１１の出力軸に固着された指針１２、この指針１２に導入して指針１２を光輝させる光を発する指針照明用光源ユニット１３、指針１２と協動して計測量を表示する文字、目盛などを有する文字板１４、この文字板１４の背面に配置された円環状の冷陰極放電管からなる文字板照明用光源１５などから構成され、文字板照明用光源１５が発する光は文字板１４に文字抜き印刷された文字、目盛などを透過して光輝させる。
【０００５】
図６に示すように、計器ユニット１１は、交差して巻回され、スピードに応じて通電量が制御される一対のコイル１１ａが発生する磁界を合成した磁界方向にＮＳ帯磁した回転マグネット（図示せず）を回転させ、回転マグネットの回転軸を突出させて形成した出力軸１１ｂを回転駆動するようにした交差コイル式のものからなる。
【０００６】
指針１２は、図７に示すように、指示部１２ａ１と基部１２ａ２（図６参照）とから成る指針本体１２ａと、この基部１２ａ２を覆う黒色の不透明な樹脂材料から成る指針キャップ１２ｂと、指針１２を計器ユニット１１の出力軸１１ｂ（図６参照）に固着するための指針袴１２ｃとから構成されている。指針キャップ１２ｂにスリット１２ｂ１を設けて指針本体１２ａの上面を露出させている。なお、指針キャップ１２ｂ内にはバランスウエイト１２ｄ（図６参照）が固定されている。
【０００７】
指針本体１２ａは、図８に示すように、透明なアクリル樹脂で形成され、指示部１２ａ１と基部１２ａ２とから成る。基部１２ａ２は、指針キャップ１２ｂのスリット１２ｂ１に嵌合するリブ１２ａ６と、光源１３ａから入射される光を受光する受光部１２ａ３と、この受光部１２ａ３により受光した光を指示部１２ａ１の方向に反射する反射面１２ａ４と、この反射面１２ａ４により反射した光を指示部１２ａ１の先端方向に導く導光部１２ａ５とからなる。
【０００８】
導光部１２ａ５の上面１２ａ７は、リブ１２ａ６が指針キャップ１２ｂのスリット１２ｂ１に嵌合して両者の表面が同一面となるように、指針キャップ１２ｂの厚さの分だけリブ１２ａ６の表面から段差を形成して下がっている。受光部１２ａ３は面積を広くして受光量を多くするため円弧状にし、導光部１２ａ５は、受光した光を指示部１２ａ１に導くために受光部１２ａ３から指示部１２ａ１へ向かうに従って段々狭くなるように扇形にする。扇形は最も好ましい形であるが、これに限定されず、三角形その他の形にすることもできる。受光部１２ａ３と導光部１２ａ５をこのような形にすると基部１２ａ２が大きくなり、指示部１２ａ１が短くなる。
【０００９】
そこで、指示部１２ａ１の延長線上の導光部１２ａ５上面にリブ１２ａ６を設け、リブ１２ａ６以外の基部１２ａ２を指針キャップ１２ｂで覆い、リブ１２ａ６が指示部１２ａ１の一部として作用させ、見かけの指示部の長さを長くする。指針キャップ１２ｂは、導光部１２ａ５と反射面１２ａ４を覆って光が外へ漏れるのを防ぎ、リブ１２ａ６と指示部１２ａ１とが一本の指針からなっているように見せかける作用をしている。指針本体１２ａの底面に着色体２３を設けて指針本体１２ａ上面への光の反射を良くして指針の光輝を高める。着色体２３は、例えば塗料の塗布またはホットスタンプで形成され、塗料には赤色系統の蛍光塗料が用いられることが多いが、白色、銀色塗料を用いてもよい。
【００１０】
図６に示す指針照明用光源ユニット１３は、高輝度で長寿命の発光ダイオードから成る複数（例えば８個）の光源１３ａと、この複数の光源１３ａの各々を独立に収容保持する区画部屋１３ｂ１を有する光源保持部材１３ｂとを有する。光源１３ａは、そのリード端子が印刷配線基板１３ｃに接続されることにより給電される。
【００１１】
光源１３ａは、図９に示すように、８個が円周上に約４５度の等間隔で配置され、指針１２の受光部１２ａ３がこの円周上を摺動して光源１３ａからの光を受入れる。光源１３ａは、円形状に光輝すればよく、光源数は８個に限定されない。受光部１２ａ３が円形の光源を覆う面積が大きければ大きい程受光量が多くなる。図９に示す例では、受光部１２ａ３は、指針１２がどのような位置にあっても常に２個の光源１３ａに相当する光量を受光する大きさに設定されている。
【００１２】
光源１３ａが発する光は、図５に示すように、指針キャップ１２ｂの開口を通って受光部１２ａ３に入射し、反射面１２ａ４で反射され、反射した光は扇形状の導光部１２ａ５を通じて指示部１２ａ１の先端方向に導かれる。受光部１２ａ３には色々の角度で光が入射してくるから色々の方向に反射して指示部１２ａ１を明るく光輝させる。
【００１３】
図５及び図６に示すように、文字板１４は、文字板本体１４ａと光拡散板１４ｂとからなり、光源ユニット１３の光源保持部材１３ｂの上に取付けられる。
【００１４】
文字板照明用光源１５からの光は、光拡散板１４ｂによって拡散されて文字板本体１４ａの背面に照射され、この照射光が文字板本体１４ａの文字、目盛などを透過してその表面に至ることによって文字、目盛などが光輝される。
【００１５】
従って、運転者は光輝する指針１２の指示部１２ａ１と文字板１４の文字、目盛などを黒色透明カバー１８を通じて視認することができ、光輝していない指針キャップ１２ｂなどの余分のものは見えないようになっている。また、イグニッションキースイッチをオフしたときには、指針照明用光源ユニット１３の光源１３ａと文字板照明用光源１５が不点灯となり、運転者は黒色透明カバー１８の黒い面を視認することになる。
【００１６】
図８に示した指針本体１２ａは、受光部１２ａ３を大きくしたため、導光部１２ａ５に入ってくる光は多くなっている。しかし、リブ１２ａ６の大きさは指示部１２ａ１の厚さのままであるので、リブ１２ａ６の上面を通り抜けてリブ１２ａ６の表面を光輝させるのに寄与する光は導光部１２ａ５を大きくしても余り増加しない。それは、導光部１２ａ５の上面１２ａ７で反射して指示部１２ａ１の方へ行く光、導光部１２ａ５の上面１２ａ７を通り抜けて指針キャップ１２ｂに吸収されてしまう光は上面１２ａ７の面積に比例して増加するが、導光部１２ａ５の上面１２ａ７と着色体２３とでの反射条件がうまく合ってリブ１２ａ６の上面に入射するような光は余り増えないからである。
【００１７】
このため、図１０中に破線２２で囲んで示した指針の上面部分は他の部分に比べて相対的に輝度が低くなり、少し暗く見える。指針１２の光輝の明暗の差はそれ程大きくはなく、指針１２の視認には差し支えないが、できることなら指針全体が均一に光輝する方が好ましい。また、導光部１２ａ５の上面１２ａ７を通り抜けてしまいリブ１２ａ６の光輝に寄与しない光を減らし、受け入れた光の利用率を高めて指針をより明るく光輝させるのが好ましい。
【００１８】
そこで、本出願人は、指針を高輝度で光輝させることができると共に、指針の光輝の明暗の差を無くし、指針を均一に光輝させることができ、かつ光の利用率を高めて指針の輝度を向上させる計器の指針式表示装置を提供してきた（特許文献１参照）。
【００１９】
この指針式表示装置では、指針１２の基部１２ａ２の導光部１２ａ５の上面に微細な凹凸を形成して乱反射面にすることで、乱反射した光が様々な方向で導光部１２ａ５の底面で反射するようになり、リブ１２ａ６の上面に入射する光の割合が増え、また導光部１２ａ５の上面を通り抜ける光が減って導光部１２ａ５の内側へ乱反射する光を増やし、指針全体の上面が均一に光輝するようにした。
【先行技術文献】
【特許文献】
【００２０】
【特許文献１】特許第２９４０７９８号公報
【発明の概要】
【発明が解決しようとする課題】
【００２１】
しかしながら、上述した指針式表示装置では、指針１２の基部１２ａ２の導光部１２ａ５の上面（乱反射面）１２ａ７で乱反射させた光によってリブ１２ａ６の上面に入射する光の割合を増やすようにしているが、反射面１２ａにて反射された光と比較すると、十分な光量を得ることは難しく、指針全体の上面を均一に光輝させることは困難であった。また、指針は細線化が望まれており、その先端に向けて光を反射させようとすると、基部１２ａ２近傍に向かって反射される光量は少なくなってしまい、指示部１２ａ１を均一に発光させることは困難であった。そして、ブラックフェース形の計器の場合、光輝している部分しか運転者から視認されないことから、指針の先端からその端部までをより一層確実に均一で発光させたいと要望されている。
【００２２】
よって本発明は、上述した問題点に鑑み、指示部に到達する光量の損失の低減し、指示部の先端から基部近傍までを斑なく均一に発光させることができる自発光指針及び指針式表示装置を提供することを課題としている。
【課題を解決するための手段】
【００２３】
上記課題を解決するため本発明によりなされた請求項１記載の自発光指針は、光源からの光を受光する基部と、該基部の上端より一方向に延びる指示部と、前記基部で受光した光を前記指示部の先端方向に反射する反射面と、を有する透光性の樹脂部材からなる指針本体と、計器ユニットの出力軸が嵌合する孔と、を備え、文字板の目盛等の指標と協働して計測量を観測者から視認可能なように前記指示部内を導いた光によって発光させる自発光指針において、前記基部で受光した光の一部を前記基部近傍の前記指示部の底面に向けて反射する近傍用反射面を備え、前記光源に対向する前記基部の受光部が、前記孔に対して前記指示部の先端側に配置され且つ傾斜面となるように形成されていることを特徴とする。
【００２４】
上記請求項１に記載した本発明の自発光指針によれば、光源が発した光が基部の受光部で受光されると、該光の大半は反射面にて指示部の先端方向に反射され、また、他の光は近傍用反射面にて基部近傍の指示部の底面に向けて反射され、それらの反射光が指示部内を導光されることで、指示部の先端から基部近傍までが斑なく均一に発光しているように観測者から視認される。
【００２５】
上記課題を解決するためになされた請求項２記載の発明は、請求項１に記載の自発光指針において、前記近傍用反射面が、前記基部で受光した光を複数回反射して前記基部近傍の指示部の底面に反射するように形成されていることを特徴とする。
【００２６】
上記請求項２に記載した本発明の自発光指針によれば、基部で受光した光の一部は、近傍用反射面にて複数回反射されて基部近傍の指示部の底面に向けて反射される。
【００２７】
上記課題を解決するためになされた請求項３記載の発明は、請求項１又は２に記載の自発光指針において、前記基部が、前記反射面から前記指針本体の外部に出射されないように、前記光源からの光を受光して前記反射面に向かわせる形状で形成されていることを特徴とする。
【００２８】
上記請求項３に記載した本発明の自発光指針によれば、光源が発した光は、反射面から指針本体の外部に出射されないように、例えば、反射面で全反射される入射角となるように基部で受光され、その光は反射面にて全反射されて指示部の先端に向かう。
【００２９】
上記課題を解決するため本発明によりなされた請求項４記載の指針式表示装置は、計測量に応じて指針を移動させ、文字板に付した目盛等の指標と協働して計測量を表示する指針式表示装置において、前記指針を、請求項１〜３の何れかに記載の自発光指針とし、前記自発光指針が、前記文字板の裏面側に設けられた前記光源からの光を前記指示部内に導いて発光するようにしたことを特徴とする。
【００３０】
上記請求項４に記載した本発明の指針式表示装置によれば、文字板の裏面側の光源が発した光が自発光指針の基部で受光されると、該光の大半は反射面にて指示部の先端方向に反射され、また、他の光は近傍用反射面にて基部近傍の指示部の底面に向けて反射され、それらの反射光が指示部内を導光されることで、指示部の先端から基部近傍までが発光しているように観測者から視認される。
【発明の効果】
【００３１】
以上説明したように請求項１に記載した本発明の自発光指針によれば、基部で受光した光を指示部の先端方向に反射する反射面に加え、受光した光の一部を基部近傍の指示部の底面に向けて反射する近傍用反射面を設けるようにしたことから、基部近傍の指示部を確実に発光させることができる。また、光源に対向する基部の受光部が出力軸を嵌合する孔に対して指示部の先端側に配置され且つ傾斜面となるように形成するようにしたことから、光源から指示部までの光路が短くなり、指示部に到達する光量の損失の低減を図ることができる。従って、指示部に到達する光量の損失の低減し、指示部の先端から基部近傍までを斑なく均一に発光させることができる。
【００３２】
請求項２に記載の発明によれば、請求項１に記載の発明の効果に加え、基部で受光した光を基部近傍の指示部の底面に向けて反射させるために、近傍用反射面で複数回反射させるように構成したことから、基部で受光した光の入射角が適切な角度となるように近傍用反射面を形成することができる。従って、近傍用反射面から指針本体の外部に出射される光量を低減し、確実に基部近傍の指示部の底面に十分な光量の光を反射させることができるため、指示部の先端から基部近傍までを斑なく均一に発光させることができる。
【００３３】
請求項３に記載の発明によれば、請求項１又は２に記載の発明の効果に加え、光源にて発せられた光が反射面から指針本体の外部に出射されないような形状に基部を形成するようにしたことから、反射面での光漏れを防止することができる。また、光源の配置と反射面の形状を考慮した基部の形状となることから、光源の配置に自由度を持たせることができたり、計器の出力軸等に対する基部の位置の変更を容易とすることができる。従って、指示部を十分な光量で斑なく均一に発光させることができ、自発光指針の配置に自由度を持たせることができる。
【００３４】
以上説明したように請求項４に記載した本発明の指針式表示装置によれば、自発光指針の基部で受光した光源の光を反射面にて指示部の先端方向に反射すると共に、近傍用反射面にて受光した光の一部を基部近傍の指示部の底面に向けて反射するようにしたことから、指示部の先端から基部近傍間での全てを斑なく均一に発光している自発光指針にて計測量を表示することができる。また、光源に対向する基部の受光部が出力軸を嵌合する孔に対して指示部の先端側に配置され且つ傾斜面となるように形成するようにしたことから、光源から指示部までの光路が短くなり、指示部に到達する光量の損失の低減を図ることができる。従って、指示部に到達する光量の損失の低減し、指示部の先端から基部近傍までを斑なく均一に発光させることができる。
【図面の簡単な説明】
【００３５】
【図１】本発明に係る指針の指針本体を斜め下から見た斜視図である。
【図２】図１の指針本体の下面を示す下面図である。
【図３】図１の指針本体の本発明に係る光路を示す断面図である。
【図４】本発明の指針本体の他の例を示す断面図である。
【図５】従来の指針式表示装置の一例の断面図である。
【図６】図５の計器ユニットと指針照明用光源ユニットと指針の部分を破断して示す側面図である。
【図７】図６の指針本体と指針キャップの斜視図である。
【図８】指針本体の斜視図である。
【図９】図７の指針と複数の光源との関係を示す平面図である。
【図１０】図８に示す指針本体の光路図である。
【発明を実施するための形態】
【００３６】
以下、本発明に係る自発光指針及び指針式表示装置の一実施の形態を、図１〜図４の図面を参照して説明する。なお、背景技術のところで説明したものと同一あるいは相当する部分には同一符号を付してその詳細な説明は省略する。
【００３７】
ここで、図１は本発明に係る指針の指針本体を斜め下から見た斜視図であり、図２は図１の指針本体の下面を示す下面図であり、図３は図１の指針本体の本発明に係る光路を示す断面図であり、図４は本発明の指針本体の他の例を示す断面図である。
【００３８】
上述した背景技術で説明した図５及び図６に示すように、本発明に係る自発光指針１２は、指針式表示装置の文字板１４の表面側に配置される。そして、自発光指針１２は、図１〜３に示す指針本体１２ａを備え、その基部１２ａ２を黒色等の不透明な樹脂材料からなる指針キャップ（図示せず）で覆っている。
【００３９】
指針本体１２ａは、光源１３ａからの光を受光する基部１２ａ２と、該基部１２ａ２の上端より一方向に延びる指示部１２ａ１と、基部１２ａ２で受光した光を指示部１２ａ１の先端方向に反射する反射面１２ａ４と、を有し、透光性のアクリル樹脂等で形成している。該指針本体１２ａの底面１２ａ９には、背景技術で説明したように、例えば塗料の塗布またはホットスタンプで形成される着色体２３を設けている。
【００４０】
指針本体１２ａはさらに、基部１２ａ２で受光した光の一部を基部１２ａ２近傍の指示部１２ａ１の底面１２ａ９に向けて反射する近傍用反射面１２ａ８を備える。近傍用反射面１２ａ８は、反射面１２ａ４と指示部１２ａ１の上面との間に介在している。そして、図３中の実線矢印で示す反射光のように、反射面１２ａ４で反射した光は、近傍用反射面１２ａ８で基部１２ａ２の指示部１２ａ１に反射する。
【００４１】
指針本体１２ａには、計器ユニット１１の出力軸１１ｂ（図６参照）の先端に固着するための指針袴１２ｃが連設しており、該指針袴１２ｃには、出力軸１１ｂが嵌合される孔１２ｃ１と、該孔１２ｃ１を挟むように設けられ、前記指針キャップの一対の取付片が嵌合される取付孔１２ｃ２と、を設けている。
【００４２】
このように指針袴１２ｃを自発光指針１２の基部１２ａ２に連設させることで、自発光指針１２が出力軸１１ｂに取り付けられた際に、基部１２ａ２が出力軸１１ｂの指示部１２ａ１側に配置されるようになっている。よって、光源１３ａから指示部１２ａ１までの光路が短くなり、指示部１２ａ１に到達する光量の損失の低減を図っている。
【００４３】
指針袴１２ｃには、バランスウエイト１２ｄが連設しており、連設する指針袴１２ｃとバランスウエイト１２ｄの外形は、前記指針キャップの形状に対応した形状となっている。そして、前記指針キャップの取付片が指針袴１２ｃの取付孔１２ｃ２が嵌合されることで、基部１２ａ２、指針袴１２ｃ、バランスウエイト１２ｄの一部が前記指針キャップで覆われる。
【００４４】
また、基部１２ａ２が、反射面１２ａ４から指針本体１２ａの外部に出射されないように、光源１３ａからの光を受光して反射面１２ａ４に向かわせる形状で形成されている。本最良の形態では、基部１２ａ２の受光部１２ａ３が略傾斜面となっており、その形状は光源１３ａの配置と反射面１２ａ４の位置、形状等を考慮して設計される。例えば、受光部１２ａ３で受光した光が、反射面１２ａ４で全反射される入射角となるように反射面１２ａ４に向かわせる形状で基部１２ａ２を形成し、該受光部１２ａ３で受光された光を反射面１２ａ４にて全反射させて指示部１２ａ１の先端方向に向かうようにしている。
【００４５】
次に、上述した構成の指針本体１２ａを有する自発光指針１０の照明について図３の図面を参照して以下に説明する。
【００４６】
光源１３ａにて発せられた光が基部１２ａ２の受光部１２ａ３で受光されると、図３中の破線矢印で示す光の大半は反射面１２ａ４にて指示部１２ａ１の先端方向に反射され、指示部１２ａ１内を導光される。また、図３中の実線矢印で示す光は、反射面１２ａ４で反射された後、近傍用反射面１２ａ８にて基部１２ａ２近傍の指示部１２ａ１の底面１２ａ９に向けて反射される。そして、指示部１２ａ１内を導光された光が、指針本体１２ａの裏面に設けている着色体２３で反射され、この光を観測者が視認することで、観測者は自発光指針１２が指示部１２ａ１の先端から基部１２ａ２の近傍までが斑なく均一に発光しているように視認する。
【００４７】
以上説明したように、自発光指針１２の基部１２ａ２で受光した光を指示部１２ａ１の先端方向に反射する反射面１２ａ４に加え、受光した光の一部を基部１２ａ２近傍の指示部１２ａ１の底面１２ａ９に向けて反射する近傍用反射面１２ａ８を設けるようにしたことから、基部１２ａ２近傍の指示部１２ａ１を確実に発光させることができる。従って、指示部１２ａ１の長短に係わらず、指示部１２ａ１の先端から基部１２ａ２近傍までを斑なく均一に発光させることができる。
【００４８】
また、光源１３ａにて発せられた光が反射面１２ａ４から指針本体１２ａの外部に出射されないような形状に基部１２ａ２を形成するようにしたことから、反射面１２ａ４での光漏れを防止することができる。そして、光源１３ａの配置と反射面１２ａ４の形状を考慮した基部１２ａ２の形状となることから、光源１３ａの配置に自由度を持たせることができたり、出力軸１１ｂ等に対する基部の位置の変更を容易とすることができる。よって、指示部１２ａ１を十分な光量で斑なく均一に発光させることができ、自発光指針１２の配置に自由度を持たせることができる。
【００４９】
従って、指針式表示装置は、自発光指針１２の基部１２ａ２で受光した光源１３ａの光を反射面１２ａ４にて指示部１２ａ１の先端方向に反射すると共に、近傍用反射面１２ａ８にて受光した光の一部を基部１２ａ２近傍の指示部１２ａ１の底面１２ａ９に向けて反射するようにしたことから、指示部１２ａ１の先端から基部１２ａ２近傍間での全てを斑なく均一に発光している自発光指針１２にて計測量を表示することができる。従って、自発光指針指１２が斑なく均一に表示していることから、針式表示装置における視認性の向上を図ることができる。
【００５０】
また、上述した本最良の形態では、近傍用反射面１２ａ８が反射面１２ａ４で反射した光を指示部１２ａ１の基部１２ａ２近傍の底面１２ａ９に反射させる場合について説明したが、本発明はこの構成に限定するものではなく、反射面１２ａで反射した光を複数回反射させて前記底面１２ａ９に反射させたり、基部１２ａ２の受光部１２ａ３で受光した光を直接近傍用反射面１２ａ８に導光させ、該光を複数回反射させて前記底面１２ａ９に反射させる等に応じた種々異なる構成とすることができる。
【００５１】
例えば、近傍用反射面１２ａ８を、図４に示すように、２つの第１反射面１２ａ８１、第２反射面１２ａ８２からなる構成とすることができる。図４に示す指針本体１２ａにおいて、上述した本最良の形態と異なる点は、近傍用反射面１２ａ８と基部１２ａ２の受光部１２ａ３の形状であり、その他の構成は同一であることから、異なる部分のみを説明する。
【００５２】
基部１２ａ２の受光部１２ａ３は、背景技術で説明した指針と同様に平面となっており、光源１３ａと対向するように配置される。そして、図４中の破線矢印で示す光路のように、受光部１２ａ３で受光した光は、反射面１２ａ４にて指示部１２ａ１の先端方向に反射される。
【００５３】
近傍用反射面１２ａ８は、第１反射面１２ａ８１と第２反射面１２ａ８２が連接する三角柱状に形成している。そして、図４中の実線矢印で示す光路のように、受光部１２ａ３で受光した光の一部は、第２反射面１２ａ８２で第１反射面１２ａ８１に向けて反射され、該反射光は第１反射面１２ａ８１にて基部１２ａ２近傍の指示部１２ａ１の底面１２ａ９に向けて反射される。そして、指示部１２ａ１内を導光された光が、指針本体１２ａの裏面に設けている着色体２３で反射され、この光を観測者が視認することで、観測者は自発光指針１２が指示部１２ａ１の先端から基部１２ａ２の近傍までが斑なく均一に発光しているように視認する。
【００５４】
このように自発光指針１２の近傍用反射面１２ａ８を構成しても、上述した本最良の形態と同様に、指示部１２ａ１の長短に係わらず、指示部１２ａ１の先端から基部１２ａ２近傍までを斑なく均一に発光させることができる。
【００５５】
また、受光部１２ａ３で受光した光を基部１２ａ２近傍の指示部１２ａ１の底面１２ａ９に向けて反射させるために、近傍用反射面１２ａ８で複数回反射させるように構成したことから、基部１２ａ２で受光した光の入射角が適切な角度、指針本体１２の外部に出射しない角度等となるように近傍用反射面１２ａ８を形成することができる。
【００５６】
よって、近傍用反射面１２ａ８から指針本体１２の外部に出射される光量を低減し、確実に基部１２ａ２近傍の指示部１２ａ１の底面１２ａ９に十分な光量の光を反射させることができるため、指示部１２ａ１の先端から基部１２ａ２近傍までを斑なく均一に発光させることができる。
【００５７】
さらに、近傍用反射面１２ａ８で２回反射させる場合について説明したが、本発明はこれに限定するものではなく、指針本体１２の形状に応じて２回以上反射させるように近傍用反射面１２ａ８を形成するようにしても差し支えない。
【符号の説明】
【００５８】
１２ａ    指針本体
１２ａ１    指示部
１２ａ２    基部
１２ａ３    受光部
１２ａ４    反射面
１２ａ８    近傍用反射面
１２ｃ    指針袴
１３ａ    光源
【図１】
2011064696.tif 000003
【図２】
2011064696.tif 000004
【図３】
2011064696.tif 000005
【図４】
2011064696.tif 000006
【図５】
2011064696.tif 000007
【図６】
2011064696.tif 000008
【図７】
2011064696.tif 000009
【図８】
2011064696.tif 000010
【図９】
2011064696.tif 000011
【図１０】
2011064696.tif 000012